(57)【要約】本発明の第１態様は、演壇用支持構造体が、床接触部から演壇支持点に延びるとともに相互に傾斜する一対のフレームユニットと、第１フレーム部材から連結部材もしくは他のフレーム部材に向かって、下方及び内側に延びるトラス部材とを備え、三角形の構造体を形成する。本発明の第２態様は、演壇構造体が、第１演壇ユニット及び第２演壇ユニットを備え、第２演壇ユニットを第１演壇ユニットに伸展位置で固定するラッチを備え、ラッチは第１及び第２演壇ユニットの一方に設けられた可動部材と、第１及び第２演壇ユニットの他方に設けられたラッチ面とを有し、可動部材は、好適には、デッキの面と平行且つ退縮方向に対して実質的に垂直な方向に枢動することによってラッチ面に解除可能に係合する。【選択図】図１
2013514467.tif 000002
【特許請求の範囲】
【請求項１】
演壇用支持構造体であって、
第１フレームユニット及び、第１フレームユニット内に退縮可能な少なくとも１つの第２フレームユニットを備え、
それぞれのフレームユニットが、
床接触部から第１演壇支持点に延びる第１フレーム部材及び前記第１フレーム部材から延びる第１トラスと、
床接触部から第２演壇支持点に延びる第２フレーム部材及び前記第２フレーム部材から延びる第２トラスとを有し、
それぞれのフレームユニットが、
（ｃ）前記第１及び第２演壇支持点から離れた位置で、前記第１及び第２フレーム部材ならびに第１及び第２トラスを接続する連結部材を有し、または
（ｄ）前記第１及び第２演壇支持点から離れた位置で、前記第１及び第２トラスが、前記第２及び第１フレーム部材にそれぞれ接続される、演壇用支持構造体。
【請求項２】
請求項１記載の演壇用支持構造体であって、前記第１及び第２フレーム部材ならびに前記第１及び第２トラスが第１平面上に位置し、前記第１平面から離れた平面上に連結部材が配置されてなる、演壇用支持構造体。
【請求項３】
請求項１又は２記載の演壇用支持構造体であって、前記第１及び第２演壇支持点が前記第１フレーム部材及び第２フレーム部材のそれぞれの前記床接触部よりも相互に近接した位置に配置されてなる、演壇用支持構造体。
【請求項４】
請求項１〜３の何れか一項に記載の演壇用支持構造体であって、それぞれのフレームユニットにおいて、相互に離れた位置で前記第１及び第２トラスが前記連結部材に接触する、演壇用支持構造体。
【請求項５】
請求項４記載の演壇用支持構造体であって、異なるフレームユニットにおいて、異なる位置で前記第１及び第２トラスが前記連結部材に接触する、演壇用支持構造体。
【請求項６】
請求項１〜５の何れか一項に記載の演壇用支持構造体であって、前記第１フレーム部材、前記第１トラス及び前記連結部材が第１の三角形の構造体を形成し、且つ、前記第２フレーム部材、前記第２トラス及び前記連結部材が第２の三角形の構造体を形成してなる、演壇用支持構造体。
【請求項７】
演壇であって、
請求項１〜６の何れか一項に記載の複数個の演壇用支持構造体によって支持される複数のデッキを備える、演壇。
【請求項８】
演壇構造体であって、
第１演壇ユニット及び少なくとも１つの第２演壇ユニットを備え、前記第２演壇ユニットは、伸展位置と、前記第１ユニット内に退縮した位置の間を退縮方向に移動することができ、それぞれの演壇ユニットはデッキを有し、
伸展位置で前記第２演壇ユニットを前記第１演壇ユニットに固定するラッチを備え、前記ラッチは前記第１及び第２演壇ユニットの一方に取付けられた可動部材を有し、ラッチ面が前記第１及び第２演壇ユニットの他方に取付けられ、
前記可動部材が係合することで、前記第２演壇ユニットを前記第１演壇ユニットに対して伸展位置で固定し、前記可動部材は、前記デッキの面と実質的に平行且つ前記退縮方向に実質的に垂直な方向に移動して、前記ラッチ面と係合したり係合を解除したりすることができる、演壇構造体。
【請求項９】
請求項８記載の演壇構造体であって、前記可動部材が枢動可能に取付けられた、演壇構造体。
【請求項１０】
請求項８又は９記載の演壇構造体であって、前記可動部材がラッチ面と係合する位置に付勢される、演壇構造体。
【請求項１１】
請求項８〜１０の何れか一項に記載の演壇構造体であって、錘によって前記可動部材がラッチ面と係合するよう付勢される、演壇構造体。
【請求項１２】
請求項８〜１１の何れか一項に記載の演壇構造体であって、前記ラッチ面と前記可動部材の係合によって、前記退縮方向及び伸展方向の移動が共に妨げられる、演壇構造体。
【請求項１３】
請求項１２記載の演壇構造体であって、さらに、前記第１ラッチ面と対向する第２ラッチ面を有し、前記可動部材は、前記第１及び第２ラッチ面の間に収容される、演壇構造体。
【請求項１４】
請求項８〜１３の何れか一項に記載の演壇構造体であって、前記ラッチ面を備えた第１及び第２演壇ユニットの何れか一方にカム面が形成され、前記カム面は、前記可動部材が、それぞれの前記演壇ユニットと共に移動して前記カム面に接近し、付勢手段に対抗しながら移動してカム面を超えて、前記可動部材は前記付勢手段の影響下で前記ラッチ面に係合して前記カム面への係合を解除するよう構成された、演壇構造体。
【請求項１５】
請求項８〜１４の何れか一項に記載の演壇構造体であって、それぞれの可動部材を移動させてラッチ面との係合状態から解除するための手段を備える、演壇構造体。
【請求項１６】
請求項８〜１５の何れか一項に記載の演壇構造体であって、第１の上側演壇ユニット、第２の中間演壇ユニット及び第３の下側演壇ユニットを備え、可動部材が前記第１及び第２演壇ユニットの何れか一方に設けられ、ラッチ面が前記第１及び第２演壇ユニットの他方に設けられ、ラッチ解除カム面が前記第３演壇ユニットに設けられ、前記第３演壇ユニットが前記第２演壇ユニットに対する格納位置に移動し、前記ラッチ解除カム面が前記可動部材に係合し、前記ラッチ面への係合を解除するよう配置された、演壇構造体。
【請求項１７】
添付の図面の何れかにおいて実質的に本明細書において説明された、演壇用支持構造体。
【請求項１８】
添付の図面の何れかにおいて実質的に本明細書において説明された、演壇構造体。
【発明の詳細な説明】
【技術分野】
【０００１】
本発明は、演壇用支持構造体及び演壇に関する。
【背景技術】
【０００２】
本発明は、特に演壇または演壇用の支持構造体に関する。かかる演壇または演壇用の支持構造体においては、複数のデッキがそれぞれの演壇用支持構造体に支持され、好適には、演壇用支持構造体およびデッキが共に退縮可能であり、それにより、演壇は非使用時において、使用時の状態で演壇が必要とする空間よりもかなり小さい空間内に保管することができる。
【０００３】
この種の演壇は、国際公開第2008/149077号で説明されている。これは、第１Ａ形フレーム及び、第１Ａ形フレームに入れ子可能かつ退縮可能な少なくとも１つの第２Ａ形フレームを備えた演壇用の支持構造体を提供する。また、これはデッキに追加の支持部材を取付けたり剛性を増大させたりすることなく、伸展位置において本質的に安定性を有する支持構造体を提供する。それは広い床面領域全体に亘って、負荷を分散させる。
【先行技術文献】
【特許文献】
【０００４】
【特許文献１】国際公開第2008/149077号パンフレット
【発明の概要】
【発明が解決しようとする課題】
【０００５】
この構造は、剛性及び信頼性を有するものの、本願発明者は、強度と剛性を維持しながらも、床との接点をより少なくした演壇用の支持構造体が要望されていることを知った。国際公開第2008/149077号の発明においては、基本的に各々のデッキを支持するために２つの支持構造体を使用して、支持構造体はそれぞれのデッキによって相互に接続されるのみであったのに対して、本願発明者は、それぞれのデッキを、単一の構造体によって支持された少なくとも２つの独立したデッキ支持体で支持することによって、より単純でより小さく、必要な接地点の数がより少ない構造体を提供することがでることを発見した。これを達成するために、発明者は、それぞれの支持点が各々のフレーム部材及びトラスによって形成され、トラスは対向するフレーム部材に接続され、またはフレーム部材に連結する連結部材に対して接続されることが必要であると認識した。
【課題を解決するための手段】
【０００６】
したがって、第１態様において、本発明が提供する演壇用の支持構造体は、
第１フレームユニット及び、第１フレームユニット内に退縮可能な少なくとも１つの第２フレームユニットを備え、
それぞれのフレームユニットが、
床接触部から第１演壇支持点に延びる第１フレーム部材及び前記第１フレーム部材から延びる第１トラスと、
床接触部から第２演壇支持点に延びる第２フレーム部材及び前記第２フレーム部材から延びる第２トラスとを有し、
それぞれのフレームユニットが、
（ａ）前記第１及び第２演壇支持点から離れた位置で、前記第１及び第２フレーム部材ならびに第１及び第２トラスを接続する連結部材を有し、または
（ｂ）前記第１及び第２演壇支持点から離れた位置で、前記第１及び第２トラスが、前記第２及び第１フレーム部材にそれぞれ接続される。
【０００７】
本発明の第１態様によれば、強固で高剛性であり、２つの離れた位置で演壇のデッキを支持することができ、高剛性で小型の積重ね可能な構造体を提供することができる。
【０００８】
本願発明者はさらに、演壇が複数の積重ね可能な構造体で構成される場合、（使用可能な状態である）伸展位置で、それぞれデッキを備えた個々の演壇ユニットを、演壇を使用する際にそれらが誤って積み重なってしまうことがないように、相互にしっかりと固定する必要があることを見出した。この目的のために、ラッチ型構造体を設けることができる。ラッチが、デッキ及び退縮方向に対して垂直に、ラッチ面の後方で移動するラッチ構造を設けることは従来知られているが、本願発明者は、演壇ユニット間でラッチ係合を形成するために必要な、垂直移動する幅に相当する空間が、隣接するデッキ間に十分にない場合があることを発見した。本願発明者は、ラッチがデッキに平行、且つ、実質的に退縮方向に対して垂直に動いてそれぞれのラッチ面と係合したり、また、係合を解除したりすることで、より小さい構造体を提供することができることを発見した。
【０００９】
したがって、本発明の第２態様において、
第１演壇ユニット及び少なくとも１つの第２演壇ユニットを備え、前記第２演壇ユニットは、伸展位置と、前記第１ユニット内に退縮した位置の間を退縮方向に移動することができ、それぞれの演壇ユニットはデッキを有し、
伸展位置で前記第２演壇ユニットを前記第１演壇ユニットに固定するラッチを備え、前記ラッチは前記第１及び第２演壇ユニットの一方に取付けられた可動部材を有し、ラッチ面が前記第１及び第２演壇ユニットの他方に取付けられ、
前記可動部材が係合することで、前記第２演壇ユニットを前記第１演壇ユニットに対して伸展位置で固定し、前記可動部材は、前記デッキの面と実質的に平行且つ前記退縮方向に実質的に垂直な方向に移動して、前記ラッチ面と係合したり係合を解除したりすることができる、演壇構造体を提供する。
【００１０】
本発明の第１態様はさらに、本発明の第１態様に従う複数の演壇用支持構造体に支持された複数のデッキを備えた演壇を提供する。本発明の第１態様の演壇は、本発明の第２態様の特徴を組み入れることができる。
【００１１】
本発明における、好適な任意の特徴について以下に説明する。
【００１２】
本発明の第１態様の支持構造体においては、少なくとも２つのフレームユニットを備えるものとしているが、２つよりも多いフレームユニットを備えていてもよく、例えば５個もしくはそれ以上のユニット、あるいは１０個もしくはそれ以上のユニットを備えることも可能である。複数のフレームユニットが存在する場合には、最大のフレームユニット及び最小のフレームユニットが存在し、複数のフレームユニットが１組のフレームユニットを形成し、それぞれのフレームユニットは、最大のものは除いて、より大きいフレームユニットに退縮可能かつ入れ子可能であり、最小のフレームユニットを除く全てのフレームユニットが、より小さいフレームユニットを内部に格納することができる。
【００１３】
より大きなフレームユニット（例えば第１フレームユニット）が、好適には内側の形状を画定し、また、より小さなフレームユニット（例えば第２フレームユニット）が、大きなフレームユニットの内側の形状に幾何学的に類似しているがそれよりもわずかに小さい外側フレーム形状を画定する。
【００１４】
第１及び第２フレームユニットならびに、適当であるならば、第１及び第２トラスは、好適には全て同一平面内に位置する。好適には、使用状態で、その平面は垂直方向に配置される。
【００１５】
第１及び第２フレーム部材ならびに第１及び第２トラスを連結する連結部材が存在する場合には、連結部材は、第１フレーム部材、第２フレーム部材、第１トラス及び第２トラスを含む平面から離れた適切な平面上に配置される。このようにして、第１フレーム部材、第２フレーム部材、第１トラス及び第２トラスの内側に連続的な空間を形成することで、連結部材によって妨げられることなく、異なるフレームユニットの対応するユニットを格納することができる。それぞれのフレームユニットの連結部材は、相互に接触することがないよう配置されることが好ましい。例えば、それぞれの連結部材は、好適には、使用時に実質的に水平な方向に延在する。異なるフレームユニットの連結部材が、異なる高さで適切に配置されているので、それらは相互に接触しない。
【００１６】
それぞれのフレームユニットの第１及び第２フレーム部材は適切に、略垂直に延び、または垂直線に対して所定の角度で、例えば、垂直線に対して０〜４５°の角度で、より好適には０〜３０°の角度で延びる。好適には、第１及び第２フレーム部材が、床接触部から相互に向かって延びることが望ましい。第１及び第２演壇支持点は、第１フレーム部材及び第２フレーム部材のそれぞれの床接触部よりも相互に近接して配置されることが好ましい。
【００１７】
それぞれのフレーム部材の床接触部は、任意の適切な形状とすることができる。例えば、単純な脚部を含むことができる。しかしながら、床接触部は好適には、例えば、（ソリのような）摺動面、車輪又はローラーなどの床面上を移動する手段を備えることが好ましい。
【００１８】
それぞれのフレーム部材は、好適には、それぞれのデッキよりも上方に延在する部材がないように、演壇支持点まで延びて、そこで終端するのが望ましい。しかしながら、場合によっては、それぞれのフレーム部材が、それぞれの演壇支持点を越えて延在し、例えば手すりまたはサイドガードのような支持部材を形成することができる。
【００１９】
第１及び第２トラスは、それぞれのフレーム部材から延びる。好適には、第１及び第２トラスは、略垂直方向に、または垂直線に対して傾斜する方向に延びる。好適には第１及び第２トラスは、垂直線に対して０〜６０°の範囲で、より好適には０〜４５°の範囲で延在することが望ましい。第１及び第２トラスは、好適には、それぞれのフレーム部材から離れる方向に、相互に向かって延びることが望ましい。その結果、それぞれのフレームユニットはＭ字様の形状となる。しかしながら、連結部材上で、第１及び第２トラスは、それぞれのフレーム部材から連結部材に延びて、相互に接触しないことが望ましい。好適には、第１及び第２トラスがそれぞれの第１又は第２の演壇支持点から延びることが望ましい。
【００２０】
好適には、第１フレーム部材の床接触部と第２フレーム部材の床接触部の間に、床と接触する部分がないことが望ましい。これにより、構造体は床面上で滑らかに移動可能となり、それぞれの支持構造体の端部間であらゆる凹凸を許容し、構造を単純化することができる。
【００２１】
連結部材が存在する場合には、異なるフレームユニットの第１及び第２トラスがそれぞれの連結部材に異なる位置で連結することにより、各フレームユニットが退縮して、共に入れ子となることを可能にする。
【００２２】
好適には、第１フレームメンバー、第１トラス及び連結部材が、三角形の構造体を形成することが望ましく、それにより高い剛性を得ることができる。同様に、第２フレームメンバー、第２トラス及び連結部材が、第２の三角形の構造体を形成して、高い剛性を得ることが好ましい。好適には、第１の三角形の構造体と第２の三角形の構造体が、連結部材の長さによって相互に離間する。
【００２３】
それぞれの三角形の構造体の間に形成された空間は、例えば本発明の第２態様のラッチのような他の構造体を、その内部に配置するのに適した有用な空間となっている。
【００２４】
連結部材が存在する場合には、フレームユニットは中央を横切る線を有するＭ字状の形状となり、この線は、Ｍ字状の構造の中央の三角形の下部を切断することが好ましい。
【００２５】
他の実施形態において、第１及び第２トラスは、第１フレーム部材及び第２フレーム部材、又は、第２フレーム部材及び第１フレーム部材の間に延びて、それぞれ２つの垂直部の間でＸ字状の構造体を形成する（一般に認識されるものとしてフサルク・ルーン文字のＭ又はＤとも考えることができる。）。
【００２６】
トラスが交差する位置でそれらを接続すると、２つの三角形の構造体を形成して剛性を付加することができる。さらに剛性を高めるために、連結部材を追加することができる。
【００２７】
少なくとも１つ、もしくはそれぞれのフレームユニットが、少なくとも１つの、各フレーム部材の床接触部から延びる脚部を備えることが望ましく、それによれば、それぞれのフレームユニットを直立姿勢で維持することができる。脚部は、退縮方向と実質的に平行となる方向に延びることが好ましい。それぞれのフレームユニットのそれぞれの脚部は、隣接するフレームユニットのそれぞれの脚部の付近に入れ子可能且つ退縮可能である。好適には、それぞれのフレームユニットが、第１フレーム部材及び第２フレーム部材のそれぞれの床接触部から延びる脚部を備える。好適には、格納位置において、より小さいフレームユニットの脚部は、より大きいフレームユニットの脚部の間に配置される。それぞれの脚部の少なくとも一端、好適には両端に車輪を配置して、床面上を摺動し易くすることができる。
【００２８】
停止手段を設けて、それぞれのフレームユニットの、より大きい、もしくはより小さいフレームユニットに対する移動を制御することができる。停止手段は、伸展位置でフレームユニットを固定するラッチ手段を備えることができる。好適には、ラッチ手段又は停止手段が、本発明の第２態様のラッチを備える。
【００２９】
それぞれの演壇支持点から延びてデッキを支持する支持部材を設けても良い。好適には、支持部材は、片持ちの状態でそれぞれのフレームユニットから延在することができる。また、より好適には、支持部材は、使用状態で実質的に水平方向に延在することが望ましい。さらに、より好適には、支持部材はそれぞれの演壇支持点から延びることが望ましい。隣接するフレームユニットのそれぞれの支持部材は、小さいフレームユニットを大きいフレームユニット内に格納するのを妨げないよう構成されることが好ましい。
【００３０】
それぞれの支持部材は、フレームユニットに対する高さ及び／又は角度を独立して調節可能とすることができ、これにより支持部材に支持されるデッキを水平にすることができる。好適には、支持部材は、支持部材が取付けられたフレームユニットのすぐ下に配置されたデッキ又はフレームユニットと接触する接触部材を備えることができる。このようにして、支持部材上のデッキに負荷された荷重の支持を改良することができる。支持部材とデッキもしくはフレームユニットの間の摺動を強化させるために、摺動手段が提供され得る。例えば、摺動面又はローラーが提供され得る。ローラーは支持部材の下側、又はそれぞれのフレームユニットの上部に提供されうる。好適には、それぞれの演壇支持点がブラケットを備えることが望ましく、ブラケットは摺動面もしくはローラーを有し、他のフレームユニットの支持部材が、その摺動面もしくはローラーの上で摺動し、又はローラーの回転で移動することができ、支持点はそれぞれの支持部材を調節可能に支持する。ブラケットは、さらに取付け部材を備えることができ、ライザーを支持する。ライザーは、隣接するデッキ間に延びる実質的に垂直な面を有し、隣接するデッキ間の空間を閉鎖する。
【００３１】
本発明の第１態様の演壇は、それぞれデッキを支持する少なくとも２つのフレームユニットを備える。それぞれのデッキは公知の材料から、公知の形態で構成することができる。本発明のフレームユニットは、それ自身が十分な剛性を有するため、デッキの設計又は計画は制限されない。本発明の一実施形態において、平面視で、少なくとも１つのデッキが少なくとも１つの湾曲した縁部を有する。好適には、全てのデッキが少なくとも１つの湾曲した縁部を有する。より好適には、前方と後方の両縁部が湾曲していることが望ましい。さらに好適には、それぞれのデッキが円弧の断面を形成する。このようにして、湾曲した演壇を組立てることができる。演壇ユニットは、好適には、デッキの中心における断面の円弧の半径方向に対して実質的に平行な方向に移動可能である。
【００３２】
それぞれのフレームユニット、トラス、連結部材又は他の構造物は、当業者に知られた任意の適した構造で形成することができる。例えば、それらは、それぞれ管、桁、Ｉ形梁、Ｔ字断面梁、中実梁又はいかなる他の適した構造ユニットも含むことができる。それらは、例えば木又は金属のような、任意の適した材料から形成することができる。好適には、それらは、鋼鉄またはアルミニウムで形成される。
【００３３】
それぞれの支持構造体は、モジュール式とすることが可能であり、これによれば、完成、組立て、及び設計、組立て場所への移動が従来の入れ子システムに比べて容易となる。
【００３４】
本発明の第２態様の演壇構造は、少なくとも第１演壇ユニット及び第２演壇ユニットを備える。それぞれの演壇ユニットは、支持構造体及びデッキを備えることができる。支持構造体は、本発明の第１態様に従うものとすることができる。あるいは、国際公開第2008/149077号で説明されるＡ形フレームとすることができる。
【００３５】
しかしながら、第２演壇ユニットは、伸展位置と第１演壇ユニット内に格納された位置の間で退縮方向に移動可能でなければならない。
【００３６】
本発明の第２態様のラッチは、第１及び第２演壇ユニットの一方に設けられた可動部材を備える。可動部材は、任意の適切な手段で動かすことができる。例えば、それは摺動可能に又は枢動可能に取付けることができる。
【００３７】
可動部材は、好適には、デッキの面に実質的に平行な方向に移動して、ラッチ面と係合したり係合を解除したりすることができ、その移動方向と最も近接したデッキの面の間の角度は30°未満、より好適には20°未満、さらに好適には10°未満である。可動部材は、好適には、退縮方向に対して実質的に垂直な方向に移動して、ラッチ面に係合したり係合を解除したりすることができ、それらの間の角度は60°超、より好適には70°超、さらに好適には80°超である。
【００３８】
好適には、可動部材は、可動部材を所定の位置に付勢する手段を備えることが望ましい。適切に、可動部材は、可動部材がそれぞれのラッチ面と係合する位置に付勢される。
【００３９】
可動部材は、例えばバネ又は錘のような任意の適切な手段によって付勢される。特に好適には、可動部材が、垂直ではなく好適には実質的に水平な枢軸の回りで枢動するよう取付けられた枢動可能なユニット、及び所定の位置に可動部材を付勢する錘を備えることが望ましい。適切に、錘は支点の反対側に配置され、可動部材の一部がラッチ面に係合する。
【００４０】
ラッチ面は、第１及び第２演壇ユニットの他方に設けられ、可動部材はラッチ面に係合することができる。ラッチ面及び可動部材の係合は、係合している間、退縮方向及び逆方向である伸展方向のうち少なくとも何れか一方の移動が妨げられ、好適には、退縮方向及び伸展方向の両方の移動が妨げられることが望ましい。後者の場合、好適には、第１のラッチ面と対向する第２ラッチ面の間に可動部材が収容される。
【００４１】
可動部材は、好適には、演壇ユニットの上に設けられたデッキの下に配置されることが望ましい。ラッチ面は、好適には、演壇ユニットの上に設けられたデッキの下に配置されることが望ましい。
【００４２】
好適な実施形態において、第２ラッチが第１演壇ユニットに対して第２演壇ユニットを格納位置で固定する。第２ラッチは、第１ラッチのラッチ面及び可動部材のうち少なくとも一方を備えることができる。
【００４３】
好適な実施形態において、可動部材は第２演壇ユニットに取付けられる。このようにして、可動部材は伸展位置において第１演壇ユニットと隣接する第２演壇ユニットの一部に取付けられる。この場合、ラッチ面は、伸展位置において第２演壇ユニットと隣接する第１演壇ユニットの一部に形成される。
【００４４】
特に好ましい実施形態において、可動部材は、当接面を備えた構造体に設けられる。当接面は、可動部材が第１及び第２演壇ユニットの他方のラッチ面に係合する場合に、それが当接面とも係合するよう構成される。これは、可動部材の枢軸又は摺動面によって、単に抵抗するための力を得るよりも、当接面を形成することで強固で信頼性の高い固定を実現し、可動部材を支持することができるという利点を有する。好適には、当接部材は、可動部材が移動可能な溝を有する。可動部材は、デッキの平面に平行、且つ、退縮方向に対して実質的に垂直な方向に溝を移動することができる。
【００４５】
好適な実施形態において、第１の上側演壇ユニット、第２の中間演壇ユニット及び第３の下側演壇ユニットを含む少なくとも３つの演壇ユニットを備える。また、第２及び第３ユニットがそれぞれ可動部材を備え、第１及び第２演壇ユニットがそれぞれラッチ面を備え、第１及び第２演壇ユニットの可動部材が構造体に設けられ、その構造体は可動部材がそれぞれのラッチ面と係合するときに可動部材と接触する当接面を備える。
【００４６】
好適な実施形態において、カム面は、ラッチ面を備える第１及び第２演壇ユニットのいずれにも形成することができ、カム面は、以下のように構成される。可動部材が、それぞれの演壇ユニットと共に移動してカム面に近接し、付勢手段に対抗しながらカム面を超える位置まで滑らかに移動し、付勢手段の影響下で可動部材はラッチ面に係合し、カム面との係合状態を解除する。
【００４７】
好適には、ラッチ面と係合する場合に限り、それぞれの可動部材を動かす手段が設けられる。例えば、手動操作、機械操作、又は動力手段によって可動部材を動かしてラッチ面との係合を解除して、演壇ユニットを相互に動かすことができるようにする。
【００４８】
好適には、第１の上側演壇ユニット、第２の中間演壇ユニット、及び少なくとも１つの第３の下側演壇ユニットを備え、可動部材が第１及び第２演壇ユニットの一方に形成され、ラッチ面が第１及び第２演壇ユニットの他方に形成され、ラッチ解除カム面が第３の演壇ユニットに形成され、第３演壇ユニットが第２演壇ユニットに対する格納位置に移動し、ラッチ解除カム面が可動部材と係合し、ラッチ面に対する係合を解除する。この方法によれば、第１演壇ユニットが一度動きだすと、第２演壇ユニットのラッチ係合を自動的に解除して、第２及び第３演壇ユニットが共にそれぞれの格納位置に移動しうる。
【００４９】
同一の仕組みを、３、４又はそれ以上の数の演壇ユニットを備えるユニットに適用することができる。
【００５０】
第３演壇ユニットは、手動操作のラッチを備えることができる。このようにして、１つの手動のラッチ解除操作が行われると、演壇ユニットの組全体のラッチ係合が解除されて移動可能となる。
【００５１】
第３演壇ユニットが第２演壇ユニットに対する格納位置にあるとき、相互に隣接する第３演壇ユニットと第２演壇ユニットの間の一部に当接面が形成される。これにより、第３演壇ユニットに加えられた力が、第２演壇ユニットに伝わり、第２演壇ユニットを格納位置に移動することができる。
【００５２】
好適な実施形態において、ラッチ解除カム面は、同一の構造体の一部であり、可動部材及び当接面の少なくとも一方（また、好適には両方）となる。
【００５３】
添付の図面による例示を参照しながら、本発明をさらに説明する。
【図面の簡単な説明】
【００５４】
【図１】本発明の第１態様に従う演壇の背面図である。
【図２】図１の演壇の伸展位置における概略側面図である。
【図３】図１の演壇の退縮位置における概略側面図である。
【図４】本発明の第２態様に従う演壇の概略平面図であり、可動部材とラッチ面の位置を示す。
【図５】本発明の第２態様の第１ラッチ要素の概略平面図である。
【図６ａ】本発明の第２態様で用いられるラッチ機構の概略平面図である。
【図６】演壇ユニットが共に移動する際の本発明の第２態様で用いられるラッチ機構の概略平面図である。
【図７】図６に対応する概略背面図である。
【図８】ラッチ面と係合する可動部材を有する、本発明の第２態様で用いられるラッチ機構の概略平面図である。
【図９】図８に対応する概略背面図である。
【図１０】本発明の第２態様で用いられるラッチ機構の概略平面図である。
【図１１】図１０に対応する概略背面図である。
【発明を実施するための形態】
【００５５】
図１は、本発明の第１態様に従う演壇の背面図であり、本発明の第１態様に従う演壇用支持構造体を備え、演壇用支持構造体は第１フレームユニット10、第２フレームユニット20、第３フレームユニット30、第４フレームユニット40、第５フレームユニット50を有する。
【００５６】
第１フレームユニット10は、第１フレーム部材11を備え、当該第１フレーム部材11は（ここではローラー13と組合せて示される）接地部12から、以下に説明する第１演壇支持点14まで延びる。
【００５７】
第１トラス15は、第１フレーム部材11における第１演壇支持点14から延びる。第１トラス15が下に向かって第１フレーム部材11から離れていく方向に延びる一方で、第１フレーム部材は基本的に、下から上に向かって内側に傾斜する。連結部材16は、第１フレーム部材11及び第１トラス15を共に連結し、三角形の構造体を形成する。対応する構造体がフレームユニットの反対側に形成される（この例では対称形であるが、これに限定されない。）。特に、第２フレーム部材17及び第２トラス18を有する。第２フレーム部材17及び第２トラス18は、同一の連結部材16によって連結され、三角形の構造体を形成する。形成されたフレームユニットは、強固で高い剛性を有し、演壇の支持点で支持することで、演壇のデッキに負荷された荷重を安全に支持することができる。
【００５８】
第１トラス15及び第２トラス18は、連結部材16に対して、相互間の距離が小さい接点19において接続されているのがわかる。
【００５９】
それぞれ連続したフレームユニット20、30、40及び50は、同様の構造を有する。例えば、第２フレームユニットは第1フレーム部材21及び第１トラス25を備え、連結部材26によって連結され、三角形の構造体を形成する。第２フレーム部材27及び第２トラス28も同様に、連結部材26によって連結され、三角形の構造体を形成する。第１トラス25及び第２トラス28は、連結部材に対して接点29においてそれぞれ接続され、接点29の相互間の距離が、第1フレームユニットのそれぞれの接点19間の距離と比較して、より大きくなっている。
【００６０】
形成された第２フレームユニット20は、第１フレームユニット10の構造体の内側及び下側に完全に収容可能であることがわかる。対応する構成が繰返して配置されることで、第１フレームユニット10の内側に第２フレームユニット20を、第２フレームユニット20の内側に第３フレームユニット30を、第３フレームユニット30の内側に第４フレームユニット40を、第４フレームユニット40の内側に第５フレームユニット50を配置して、全てのフレームユニットを積み重ねることができる。それぞれのフレームユニットのフレーム部材及びトラスは、同一の、一般に垂直面に位置する。連結部材16、26、36、46及び56は、格納状態において、互いに隣接し、フレームユニットの積み重ねを妨げない配置となるよう構成される。
【００６１】
第１フレームユニット10は、第１デッキ71を支持し、第２、第３、第４及び第５のフレームユニット20-50は、それぞれのデッキ72、73、74及び75を支持する。
【００６２】
図２は、図１の演壇を左側から見た、伸展位置における概略図であり、それぞれの演壇ユニットはそれぞれのフレームユニットを備え、それぞれのフレームユニットの第１フレーム部材11、21、31、41及び51は、いずれの図からも見ることができる。それぞれのフレームユニットは、床面に対して略平行に延在し、それぞれの第１フレーム部材11、21、31、41、51に対して強固に取付けられたそれぞれの脚部81、82、83、84、85を含む。
【００６３】
それぞれの第１フレーム部材の、床と接触する部分には床ローラー13、23、24、25、26を有する。さらなるローラーが、各脚部の外端に形成され、第１フレームユニット10の外側ローラー13aが図３に示され、第５フレームユニットのローラー26aが図２に示される。それぞれの演壇ユニットは、それぞれのデッキ71、72、73、74及び75を備え、対応する支持部材81、82、83、84及び85によって支持される。第２から第５までの演壇ユニットは、それぞれの第１フレーム部材21、31、41及び51の上部にそれぞれ取り付けられたブラケット86、87、88及び89を備える。これらのブラケットはそれぞれ、演壇ユニットのそれぞれの支持部材の上部に位置するブラケットのすぐ上側で、伸展又は退縮の間、回転することができるローラー76と、対応する演壇支持点に対して支持部材の高さ及び／又は角度を変化させて、デッキを水平にすることができる調節可能な取付け部材77を有する。ライザー78はブラケット86の前方側に固定され、演壇が実質的に閉じた構造を形成し、使用時に演壇の構造体の内側に物が入り込むのを防止することができる。
【００６４】
図４は、本発明の第２態様に従う演壇構造体の概略平面図である。その演壇構造体は３つの演壇ユニットを備え、それぞれのデッキ101、102及び103を有する。本実施形態において、デッキ101は最も高さが高く、次いでデッキ102が続き、デッキ103が最も高さが低い。
【００６５】
それぞれの演壇ユニットは、演壇用支持構造体を備え、図１に示すように本発明の第１態様に従うことが好ましい。詳細は図示せず、支持部材104のおよその位置が概略的に示される。図４では、演壇の前方側に位置する縁部が、図の上側に位置する縁部として示される。第２の演壇ユニット102は、第１の演壇ユニット101の内部に格納され、入れ子となることができ、さらに第３の演壇ユニット103は、第２の演壇ユニット102の内部に格納され、入れ子となることができる。２つのラッチ機構が図示される。それぞれのラッチ機構は、低い演壇ユニット（例えば103、102）の後部から延びる第１ラッチ要素105を備える。それぞれの第１ラッチ要素105は、移動可能な部材106を備え、上部は図４に示され、それぞれの要素105の溝107に位置する。第２ラッチ要素108は、演壇ユニット上に固定され、それぞれの第１要素と共に演壇ユニットの上部に配置される。第２ラッチ要素108はカム面109（図６参照。）及びラッチ面110を備える。
【００６６】
図５は、いずれの場合にも使用される第1ラッチ要素105の概略等角図である。可動部材106は、枢軸111に枢動可能に取付けられる。可動部材106は、底部に位置する錘112によって直立の姿勢となるよう付勢され、上端部113が溝107内に係合する。第２のカム面114が形成され、その機能を以下に説明する。
【００６７】
初期位置において、それぞれの演壇ユニットは相互に入れ子となり、図６aに示す配置において、第１の演壇の第２ラッチ要素108は実質的に、第２演壇ユニットの第１ラッチ要素105の前方に位置する。第２演壇ユニット102がローラーによって前方に（頁の上方に向かって）移動するにつれて、第１ラッチ要素105は、破線矢印で示すように、第２ラッチ要素のカム面109に近づく。
【００６８】
その結果、図６に示すように、可動部材106の上端113は、カム面109に沿って図６に実線矢印で示す方向に移動し、枢軸111の周りで枢動する。第２演壇ユニットが最大の伸展位置となったとき、可動部材106の上端113がカム面109の先端を乗越える。その結果、可動部材106の上端113は第２ラッチ要素108の係合面110に係合する。この配置では、可動部材106の係合面110との係合によって、第２演壇ユニットの退縮方向への移動が防止される。この配置では、可動部材106の上端113は、第１ラッチ要素105の溝107内に保持される。実際上は、図６等に示すよりも密着した嵌合となるため、可動部材106の上端113は、高い剛性を有する支持体となる。第２演壇ユニット102を移動しようとした場合、この移動に対して、共に比較的近い距離にあり比較的強固な溝107の壁面及び係合面110が抵抗となり、枢軸111には力が働かないため、枢軸111は比較的簡易な設計とすることができる。
【００６９】
第３演壇ユニット103が、第２演壇ユニット102に対する伸展位置に移動して、所定の位置に係合する際の移動の順序は、正確に一致する。
【００７０】
演壇ユニットを退縮することが望まれる場合、最初の段階として、操作者が能動的に第３演壇ユニット103の可動部材106の係合を解除する。これは任意の適切な機構によって達成することができる。たとえば、操作者は単純に手で可動部材106の上端113を係合面110の係合から外すことができる。あるいは、操作デバイス、例えばケーブル、糸、ロッド又は同様のものを、可動部材を操作するために用いることができる。ロック機構を使用して、適切なキー又はコード名を所持する操作者のみが第３演壇ユニットを解除することができるようにすることも可能である。このような演壇ユニットに、電力で駆動する解除機構を用いることもできる。第３演壇ユニットが係合を解除されて退縮方向に移動すると、第３演壇ユニット103の第１のラッチ要素105aが、第１演壇ユニットの第２ラッチ要素108に係合する第２演壇ユニットの第１ラッチ要素105に向かって移動する。これは、図１0に破線矢印で示される。したがって、第３演壇ユニット103の第１ラッチ要素105aの第２カム面114aは、可動部材106の下端に係合し、可動部材106を、図１1の実線矢印で示すように、時計回りに枢動させる。その結果、可動部材の上端113は、係合面110に対する係合から解除される。
【００７１】
駆動手段を設け、第２演壇ユニット102に対して第３演壇ユニット103が格納された位置にあるとき、第３演壇ユニットに加えられた力が第２演壇ユニット102に伝達される。第３演壇ユニットの第１ラッチ要素105aの、第２演壇ユニットの第１ラッチ要素105に対する相対位置は、第３演壇ユニット103が完全な格納位置に入る直前に可動部材106の解除が起こり、第２演壇ユニット102がそこで移動可能となるよう設計される。
【００７２】
本発明について、具体例を用いて説明したが、本発明の範囲内で変更を加えることができる。本発明はさらに、本願明細書中で説明された、もしくは含まれるあらゆる固有の特徴、又は、この種の特徴のあらゆる組合せ、又はこの種の特徴もしくは組合せのあらゆる一般化をも含むものである。
【符号の説明】
【００７３】
10  第１フレームユニット
11  第１フレーム部材
12  接地部
13  ローラー
14  第１演壇支持点
15  第１トラス
16  連結部材
17  第２フレーム部材
18  第２トラス
19  接点
20  第２フレームユニット
21  第1フレーム部材
25  第１トラス
26  連結部材
27  第２フレーム部材
28  第２トラス
29  接点
30  第３フレームユニット
40  第４フレームユニット
50  第５フレームユニット
【図１】
2013514467.tif 000003
【図２】
2013514467.tif 000004
【図３】
2013514467.tif 000005
【図４】
2013514467.tif 000006
【図５】
2013514467.tif 000007
【図６】
2013514467.tif 000008
【図６ａ】
2013514467.tif 000009
【図７】
2013514467.tif 000010
【図８】
2013514467.tif 000011
【図９】
2013514467.tif 000012
【図１０】
2013514467.tif 000013
【図１１】
2013514467.tif 000014